(57)【特許請求の範囲】
【請求項１】
照明用光源と、前記照明用光源に接続された配線部とを備えた複数の基板部材が、前記照明用光源の照射方向に沿って積層され、
前記照射側の前記基板部材は、該基板部材に対して前記照射側の反対側で積層された前記基板部材の前記照明用光源と対面する部位に、前記照射側の前記基板部材に対して前記照射側の反対側で積層された前記基板部材の前記照明用光源が、前記照射側の前記基板部材から露出するように形成された露出空間部を備え、
前記配線部は、前記基板部材の前記照射側に配置されていると共に、配線方向が前記照明用光源の接続側から前記基板部材の外側端側に向かう方向として配置されている照明用光源の基板。
【請求項２】
前記照明用光源が、環状に形成され、該照明用光源の中心が前記露出空間部の中心と同心に設定されている請求項１記載の照明用光源の基板。
【請求項３】
前記照射側の前記基板部材に、該基板部材と前記照明用光源側で積層された前記基板部材の前記配線部との絶縁を確保する絶縁部が、更に備えられている請求項１又は２記載の照明用光源の基板。
【発明の詳細な説明】
【技術分野】
【０００１】
本発明は、照明用光源の基板に関し、特に、複数の照明用光源を制御自在に実装できる基板に関する。
【背景技術】
【０００２】
複数の照明用光源を制御自在に実装した基板は、下記特許文献１に記載されているように、複数の発光ダイオード素子（ＬＥＤ）、及びＬＥＤの夫々に接続される配線部を、一枚の基板の一面に配置するものが知られている。
【０００３】
複数のＬＥＤ、及び配線部を前述のように配置した基板は、ＬＥＤの調光制御を個別に行うことができ、これによって、様々な照明を行うことができる。
【先行技術文献】
【特許文献】
【０００４】
【特許文献１】特表２０１０−５３８４３２号公報
【発明の概要】
【発明が解決しようとする課題】
【０００５】
しかしながら、特許文献１の従来技術では、ＬＥＤの個数や配列、更には、基板の面積によっては、基板上での配線部の配線ルートの確保が難しく、目的とする調光ができないという問題があった。
【０００６】
目的とする調光ができる個数や配列でＬＥＤを配置した上で、配線部の配線ルートを確保するには、基板の面積を大きくすることが提案できる。
【０００７】
しかしながら、基板が配置される照明装置等の空間の大きさが限られていることから、基板の面積の大きさが制限されることになるため、目的とする調光ができる個数や配列でＬＥＤを配置した上で、配線部の配線ルートを確保する構成として、基板の面積を大きくするということについては、現実的には難しいものである。
【０００８】
本発明は、このような問題に対処することを課題の一例とするものである。すなわち、基板の面積を大きくすることなく、目的とする調光ができる個数や配列で照明用光源を容易に配置できると共に、配線部の配線ルートを容易に確保できること、これにより、照明用光源の配置設計の自由度を高めることができると共に、照明用光源の実装密度を高めることができ、且つ多様に調光できる照明用光源を備えた基板のコンパクト化を図ることができること、等が本発明の目的である。
【課題を解決するための手段】
【０００９】
このような目的を達成するために、本発明による照明用光源の基板は、以下の構成を少なくとも具備するものである。
【００１０】
照明用光源と、前記照明用光源に接続された配線部とを備えた複数の基板部材が、前記照明用光源の照射方向に沿って積層され、
前記照射側の前記基板部材は、該基板部材に対して前記照射側の反対側で積層された前記基板部材の前記照明用光源と対面する部位に、前記照射側の前記基板部材に対して前記照射側の反対側で積層された前記基板部材の前記照明用光源が、前記照射側の前記基板部材から露出するように形成された露出空間部を備え、
前記配線部は、前記基板部材の前記照射側に配置されていると共に、配線方向が前記照明用光源の接続側から前記基板部材の外側端側に向かう方向として配置されている照明用光源の基板である。
【００１１】
前記照明用光源が、環状に形成され、照明用光源の中心が前記露出空間部の中心と同心に設定されていることが好ましい。
【００１２】
前記照射側の前記基板部材に、該基板部材と前記照明用光源側で積層された前記基板部材の前記配線部との絶縁を確保する絶縁部が、更に備えられていることが好ましい。
【発明の効果】
【００１３】
このような特徴を有することで本発明は、基板の面積を大きくすることなく、目的とする調光ができる個数や配列で光源を容易に配置できると共に、配線部の配線ルートを容易に確保できる。これにより、光源の配置設計の自由度を高めることができると共に、光源の実装密度を高めることができ、且つ多様に調光できる光源を備えた基板のコンパクト化を図ることができる
【図面の簡単な説明】
【００１４】
【図１】本発明の第一実施形態に係る照明用光源の基板の概略平面図である。
【図２】図１の分解斜視図である。
【図３】本発明の第二実施形態に係る照明用光源の基板の概略平面図である。
【図４】図３の分解斜視図である。
【図５】本発明の第三実施形態に係る照明用光源の基板の概略平面図である。
【図６】図５の分解斜視図である。
【発明を実施するための形態】
【００１５】
以下、本発明の第一実施形態に係る照明用光源の基板を図１、及び図２に基づいて説明する。
【００１６】
基板１は、複数（本実施形態では３個）の基板部材１Ａ、２Ａ、３Ａを、照射方向に沿って、同軸で層状に重ねてなる多層構造のものであり、放熱部１００上に固定されている。
【００１７】
また、基板部材１Ａ、２Ａ、３Ａの一面側(照射側の面)には、照明用光源１０Ａ、２０Ａ、３０Ａが実装されている。
【００１８】
照明用光源１０Ａ、２０Ａ、３０Ａは、多数の発光ダイオード素子（ＬＥＤ）を環状の円板形状として配列したチップオンボード構造のものである。照明用光源Ａは、ＬＥＤに限定されるものではない。
【００１９】
基板部材１Ａ、２Ａ、３Ａは、ともに同じ直径とする円板形状のものであり、基板部材１Ａ、２Ａ、３Ａの軸と同軸で、照明用光源１０Ａ、２０Ａ、３０Ａが実装されている。
【００２０】
外層の基板部材１Ａは、照明用光源１０Ａの内径、及び中間層の基板部材２Ａに配列された照明用光源２０Ａの直径と同じ内径を有する環状に形成されている。
【００２１】
基板部材１Ａの外側面には、照明用光源１０Ａと調光回路（図示せず）とを接続する配線部Ｂ１が配線されている。配線部Ｂ１は、基板部材１Ａを径方向に通過する同一の経線上に、照明用光源１０Ａを挟んで二か所設けられており、一方の配線部Ｂ１は（+）側、他方の配線部Ｂ１は（-）側である。
【００２２】
また、基板部材１Ａの内側面には、基板部材１Ａと基板部材２Ａの配線部Ｂ２との絶縁を確保する絶縁部Ｃ１が設けられている。
【００２３】
絶縁部Ｃ１は、照明用光源２０Ａの端部から基板部材１Ａの径方向外側に向かうように形成された溝部Ｃ１０と、基板部材１Ａの外周縁から溝部Ｃ１０に向かって切欠された切欠部Ｃ１１とから構成されており、配線部Ｂ２が溝部Ｃ１０に挿通されると共に、切欠部Ｃ１１から露出するようにされている。
【００２４】
絶縁部Ｃ１は、配線部Ｂ１の配線方向と交差する共に、基板部材１Ａを径方向に通過する同一の経線上に、照明用光源２０Ａを挟んで二か所設けられており、一方の絶縁部Ｃ１には（+）側の配線部Ｂ２が挿通され、他方の絶縁部Ｃ１には（-）側の配線部Ｂ２が挿通されている。
【００２５】
中間層の基板部材２Ａは、照明用光源２０Ａの内径、及び内層の基板部材３Ａに配列された照明用光源３０Ａの直径と同じ内径を有する環状に形成されている。
【００２６】
基板部材２Ａの外側面には、照明用光源２０Ａと前述の調光回路とを接続する配線部Ｂ２が配線されている。
【００２７】
配線部Ｂ２は、絶縁部Ｃ１の溝方向に沿うと共に、基板部材２Ａを径方向に通過する同一の経線上に、照明用光源２０Ａを挟んで二か所設けられており、一方の配線部Ｂ２は（+）側、他方の配線部Ｂ２は（-）側である。
【００２８】
また、基板部材２Ａの内側面には、基板部材２Ａと基板部材３Ａの配線部Ｂ３との絶縁を確保する絶縁部Ｃ２が設けられている。
【００２９】
絶縁部Ｃ２は、照明用光源３０Ａの端部から基板部材２Ａの径方向外側に向かうように形成された溝部Ｃ２０と、基板部材１Ａ、２Ａの外周縁から溝部Ｃ２０に向かって切欠された切欠部Ｃ２１、Ｃ２２とから構成されており、配線部Ｂ３が溝部Ｃ２０に挿通されると共に、切欠部Ｃ２１、Ｃ２２から露出するようにされている。
【００３０】
絶縁部Ｃ２は、配線部Ｂ１の配線方向、及び絶縁部Ｃ１の溝方向と交差すると共に、基板部材２Ａを径方向に通過する同一の経線上に、照明用光源３０Ａを挟んで二か所設けられており、一方の絶縁部Ｃ２には（+）側の配線部Ｂ３が挿通され、他方の絶縁部Ｃ２には（-）側の配線部Ｂ３が挿通されている。
【００３１】
尚、絶縁部Ｃ１、Ｃ２は、溝部Ｃ１０、Ｃ２０に換えて、ゴム材、ビニール材等の合成樹脂材からなる絶縁材（図示せず）を使用してもよい。
【００３２】
内層の基板部材３Ａの外側面には、照明用光源３０Ａと前述の調光回路とを接続する配線部Ｂ３が配線されている。
【００３３】
配線部Ｂ３は、絶縁部Ｃ２の溝方向に沿うと共に、基板部材３Ａを径方向に通過する同一の経線上に、照明用光源３０Ａを挟んで二か所設けられており、一方の配線部Ｂ３は（+）側、他方の配線部Ｂ３は（-）側である。
【００３４】
基板部材１Ａ、２Ａの内径は、照明用光源２０Ａ、３０Ａが基板部材１Ａ、２Ａから露出する露出空間部４０Ａ、５０Ａであり、この露出空間部４０Ａ、５０Ａから照明用光源２０Ａ、３０Ａの光が照射されるようになっている。
【００３５】
このような基板１によると、基板部材１Ａ、２Ａ、３Ａに、夫々、照明用光源１０Ａ、２０Ａ、３０Ａ、配線部Ｂ１、Ｂ２、Ｂ３を個別に配し、この基板部材１Ａ、２Ａ、３Ａを積層した多層構造にしているので、基板１の面積を大きくすることなく、目的とする調光ができる個数や配列で照明用光源１０Ａ、２０Ａ、３０Ａを容易に配置できると共に、配線部Ｂ１、Ｂ２、Ｂ３の配線ルートを容易に確保できる。
【００３６】
これにより、照明用光源１０Ａ、２０Ａ、３０Ａの配置設計の自由度を高めることができると共に、照明用光源１０Ａ、２０Ａ、３０Ａの実装密度を高めることができ、且つ多様に調光できる照明用光源１０Ａ、２０Ａ、３０Ａを備えた基板１のコンパクト化を図ることができる。
【００３７】
また、配線部Ｂ１、Ｂ２、Ｂ３が、夫々、基板部材１Ａ、２Ａ、３Ａに個別に配されているので、配線部Ｂ１、Ｂ２、Ｂ３の配線ルートを、照明用光源１０Ａ、２０Ａ、３０Ａにかからないように確保することができ、これによって、切れ目のない環状の照明用光源１０Ａ、２０Ａ、３０Ａを実装することができる。
【００３８】
更に、絶縁部Ｃ１、Ｃ２によって、基板部材１Ａ、２Ａと配線部Ｂ２、Ｂ３との絶縁を確保しているので、使用中のショート等を防ぐことができる。
【００３９】
次に、図３、及び図４に基づいて、本発明に係る第二実施形態の基板１’を説明する。尚、第一実施形態の基板１と重複する部位についての説明は、同号を付すことにより省略する。
【００４０】
基板１’の基板部材１Ａ、２Ａ、３Ａは、照明用光源１０Ａ、２０Ａ、３０Ａを配置する配置面部Ｄ１、Ｄ２、Ｄ３と、配置面部Ｄ１、Ｄ２、Ｄ３の対向する二辺に放熱部１００に取付ける取付面部Ｄ４、Ｄ５、Ｄ６とを備えた長方形状に形成されたものである。
【００４１】
基板部材１Ａ、２Ａは、配置面部Ｄ１、Ｄ２の位置が、取付面部Ｄ４、Ｄ５よりも照射側へ突出するように、配置面部Ｄ１、Ｄ２と取付面部Ｄ４、Ｄ５とを、段差部Ｄ７、Ｄ８を介して連設してある。
【００４２】
また、段差部Ｄ７、Ｄ８によって、配置面部Ｄ１、Ｄ２の裏面側と放熱部１００との間に空間部Ｓ１、Ｓ２が確保されており、空間部Ｓ１、Ｓ２には、取付面部Ｄ４、Ｄ５が連設された二辺と交差する側の対向する二辺側に貫通口Ｓ１０、Ｓ２０が設けられている。
【００４３】
空間部Ｓ１は、基板部材２Ａ、３Ａが挿通可能な間隔であると共に、基板部材２Ａの配線部Ｂ２が基板部材１Ａの内側面に接触しない間隔として設定され、これにより、空間部Ｓ１が、基板部材１Ａと配線部Ｂ２とを絶縁する絶縁部Ｃ１として機能するようになっている。
【００４４】
空間部Ｓ２は、基板部材３Ａが挿通可能な間隔であると共に、基板部材３Ａの配線部Ｂ３が基板部材２Ａの内側面に接触しない間隔として設定され、これにより、空間部Ｓ２が、基板部材２Ａと配線部Ｂ３とを絶縁する絶縁部Ｃ２として機能するようになっている。
【００４５】
このような基板１’によっても、第一実施形態の基板１と同じ効果を奏することができる。
【００４６】
次に、図５、及び図６に基づいて、本発明に係る第三実施形態の基板１”を説明する。尚、第一実施形態の基板１と重複する部位についての説明は、同号を付すことにより省略する。
【００４７】
基板１”の照明用光源１０Ａ、２０Ａ、３０Ａは、基板部材１Ａ、２Ａ、３Ａに、複数の砲弾型ＬＥＤ６を、外形が正方形となるように実装したものである。
【００４８】
基板部材１Ａの照明用光源１０Ａは、基板部材１Ａに正方形状に開孔された露出空間部４０Ａの周りを囲むように砲弾型ＬＥＤ６を実装して構成されている。
【００４９】
基板部材２Ａの照明用光源２０Ａは、露出空間部４０Ａの周囲縁に沿うと共に、基板部材２Ａに正方形状に開孔された露出空間部５０Ａの周りを囲むように砲弾型ＬＥＤを実装して構成されている。
【００５０】
基板部材３Ａの照明用光源３０Ａは、露出空間部５０Ａの周囲縁に沿うように砲弾型ＬＥＤ６を実装して構成されている。
【００５１】
照明用光源１０Ａ、２０Ａ、３０Ａの配線部Ｂ１、Ｂ２、Ｂ３は、いくつかの砲弾型ＬＥＤ６をひとつのブロックとして、複数のブロックに分け、このブロック毎に配線部Ｂ１、Ｂ２、Ｂ３を配線したものである。
【００５２】
また、砲弾型ＬＥＤ６のブロック分けは、図示するように、基板部材１Ａ、２Ａ、３Ａの照明用光源１０Ａ、２０Ａ、３０Ａ同士とするもの、基板部材１Ａ、２Ａ、３Ａの照明用光源１０Ａ、２０Ａ、３０Ａの任意の組合せによるものの（図示せず）いずれでもよく、配線ルートを少なくできるものとすることが好ましい。
【００５３】
この構造の基板１”の絶縁部Ｃ１、Ｃ２は、第一実施形態、及び第二実施形態と同様に溝部Ｃ１０、Ｃ２０を有するものである。
【００５４】
このような基板１”によると、複数の砲弾型ＬＥＤ６からなる照明用光源１０Ａ、２０Ａ、３０Ａの配線ルートを容易に確保することができ、これにより、第一実施形態、及び第二実施形態と同様の効果を奏することができる。
【００５５】
尚、本発明は、例示した実施の形態に限定するものではなく、特許請求の範囲の各項に記載された内容から逸脱しない範囲の構成による実施が可能である。
【符号の説明】
【００５６】
１：基板
１’：基板
１”：基板
１Ａ：基板部材
２Ａ：基板部材
３Ａ：基板部材
１０Ａ：照明用光源
２０Ａ：照明用光源
３０Ａ：照明用光源
Ｂ１：配線部
Ｂ２：配線部
Ｂ３：配線部
Ｃ１：絶縁部
Ｃ２：絶縁部
４０Ａ：露出空間部
５０Ａ：露出空間部
【図１】
0006382628.tif 000002
【図２】
0006382628.tif 000003
【図３】
0006382628.tif 000004
【図４】
0006382628.tif 000005
【図５】
0006382628.tif 000006
【図６】
0006382628.tif 000007